(57)【要約】【課題】小さなデータサイズのデータによって、より多くの情報を適切に提供することができる情報提供システムを提供する。【解決手段】情報提供サーバ１０は、比較的大きなデータサイズを有する動画データを格納した第１データベース１１と、比較的小さなデータサイズを有する動画データを格納した第２データベース１２を有し、第１データベース１１から抽出した動画データ２４をリクエスト元の端末２０にストリーミング配信し、第２データベース１２から抽出した動画データをリクエスト元の端末２０にダウンロード配信する。端末２０は、表示部２１に第１表示枠２２と第２表示枠２３を並べて表示させ、第１表示枠２２に前記ストリーミング再生動画データを表示させ、第２表示枠２３にダウンロード終了後再生動画データをストリーミング再生動画データの表示に連動して表示させる。【選択図】  図１
2006050392.tif 000002
【特許請求の範囲】
【請求項１】
ネットワークを介して互いに接続された情報提供サーバと端末とを有し、前記情報提供サーバに予め格納されている情報を前記端末からのリクエストに応じてリクエスト元の端末に配信する情報提供システムにおいて、
前記情報提供サーバは、
比較的大きなデータサイズを有する動画データを格納した第１データベースと、
比較的小さなデータサイズを有する動画データを格納した第２データベースと、
前記第１データベースから抽出した動画データをストリーミング再生動画データとしてリクエスト元の端末にストリーミング配信するストリーミング配信手段と、
前記第２データベースから抽出した動画データをダウンロード終了後再生動画データとしてリクエスト元の端末にダウンロード配信するダウンロード配信手段と、を有し、
前記端末は、
該端末の表示部に第１表示枠と第２表示枠を並べて表示させ、前記第１表示枠に前記ストリーミング再生動画データを表示させ、前記ダウンロード終了後再生動画データを前記ストリーミング再生動画データの表示に連動して前記第２表示枠に表示させる再生手段と、
を有することを特徴とする情報提供システム。
【請求項２】
ネットワークを介して互いに接続された情報提供サーバと端末とを有し、前記情報提供サーバに予め格納されている情報を前記端末からのリクエストに応じてリクエスト元の端末に配信する情報提供システムにおいて、
前記情報提供サーバは、
比較的大きなデータサイズを有する動画データを格納した第１データベースと、
比較的小さなデータサイズを有する動画データを格納した第２データベースと、
比較的小さなデータサイズを有する静止画データを格納した第３データベースと、
前記第１データベースから抽出した動画データをストリーミング再生動画データとしてリクエスト元の端末にストリーミング配信するストリーミング配信手段と、
前記第２データベースから抽出した動画データをダウンロード終了後再生動画データとし、前記第３データベースから抽出した静止画データをダウンロード終了後再生静止画データとしてリクエスト元の端末にダウンロード配信するダウンロード配信手段と、を有し、
前記端末は、
該端末の表示部に第１表示枠と第２表示枠を並べて表示させ、前記第１表示枠に前記ストリーミング再生動画データを表示させ、該ストリーミング再生動画データに連動して前記第２表示枠に前記ダウンロード終了後再生動画データと前記ダウンロード終了後再生静止画データのいずれか一方を適宜表示させる再生手段と、
を有することを特徴とする情報提供システム。
【請求項３】
前記第１データベースには、予め設定された質問に回答する回答者を撮影した動画データとその音声データが格納され、
前記第２データベースには、前記質問を行う質問者を撮影した動画データとその音声データが格納され、
前記再生手段は、回答者を撮影した動画データとその音声データを第１表示枠に再生しながら、第２表示枠に所定のタイミングで質問者を撮影した動画データとその音声データを再生する処理を行うことを特徴とする請求項１又は２に記載の情報提供システム。
【請求項４】
前記第１データベースには、予め設定された質問に回答する回答者を撮影した動画データとその音声データが格納され、
前記第２データベースには、前記質問を行う質問者を撮影した動画データとその音声データが格納され、
前記第３データベースには、前記回答者が回答に使用する図表を構成する静止画データが格納され、
前記再生手段は、回答者を撮影した動画データとその音声データを第１表示枠に再生する処理を行うと共に、第２表示枠に所定のタイミングで質問者を撮影した動画データとその音声データを再生する処理と図表を構成する静止画データを表示する処理のいずれか一方を行うことを特徴とする請求項１又は２に記載の情報提供システム。
【発明の詳細な説明】
【技術分野】
【０００１】
本発明は、情報提供サーバに予め格納されている情報を端末からのリクエストに応じてリクエスト元の端末に配信する情報提供システムに関する。
【背景技術】
【０００２】
従来より、例えば企業のＩＲ（Investor Relations）活動の一環として、インターネットのホームページ上にＩＲ活動専用のサイトを設けて、静止画や動画を用いてＩＲ活動に関する情報を提供することが行われている（例えば、特許文献１を参照）。
【０００３】
特に近年におけるＡＤＳＬや光ファイバ通信などの普及によって高速インターネット環境が飛躍的に向上したことにより、音声付きの動画データを使用したＩＲ活動情報の提供がインターネット上で実現されている。
【０００４】
このような音声付きの動画データを使用したＩＲ活動情報の提供方法として、例えば、企業の取締役がインターネット端末のブラウザ画面上に登場してＩＲ活動について説明する講義形式と、取締役とインタビュアーの二人がブラウザ画面上に登場してインタビュアーからのＩＲ活動に関する質問に応じて取締役が答えるインタビュー形式がある。
【０００５】
講義形式の場合、説明が一方的になりやすく、ＩＲ活動情報の内容を平易に説明できるようにコンテンツを作成するのは困難である。これに対し、インタビュー形式の場合、質問に対する回答という形をとるため、ＩＲ活動情報の内容をわかりやすく伝達できるようにコンテンツを作成することが簡単である。
【０００６】
【特許文献１】特開２００１−３０６９３５号公報
【発明の開示】
【発明が解決しようとする課題】
【０００７】
しかしながら、インタビューなどの音声付きの動画データは、文字情報などと比較してインターネットサーバからインターネット端末に配信するデータのサイズが大きく、また、動画を画面上により鮮明にかつ大きく表示しようとするとそのデータサイズは更に増大する。したがって、インタビュー形式の動画をそのまま画面全体に表示して音声と共に再生することは、インターネットに過度の負担を与え、輻輳による通信速度の低下や、通信費の高騰を招来するおそれがある。また、貧弱なインターネット環境では、ストリーミング配信を利用した場合であっても動画の円滑な再生が困難であり、ＩＲ活動情報を適切に提供することができないといった問題がある。
【０００８】
このようなデータ通信速度の問題は動画データに限られるものではなく、ダウンロードするデータのデータサイズが大きい場合に共通する課題である。
【０００９】
本発明は、上記課題に鑑みなされたものであり、その目的は、小さなデータサイズのデータによって、より多くの情報を適切に提供することができる情報提供システムを提供することにある。
【課題を解決するための手段】
【００１０】
上記課題を解決する請求項１に記載の発明による情報提供システムは、ネットワークを介して互いに接続された情報提供サーバと端末とを有し、情報提供サーバに予め格納されている情報を端末からのリクエストに応じてリクエスト元の端末に配信する情報提供システムにおいて、情報提供サーバは、比較的大きなデータサイズを有する動画データを格納した第１データベースと、比較的小さなデータサイズを有する動画データを格納した第２データベースと、第１データベースから抽出した動画データをストリーミング再生動画データとしてリクエスト元の端末にストリーミング配信するストリーミング配信手段と、第２データベースから抽出した動画データをダウンロード終了後再生動画データとしてリクエスト元の端末にダウンロード配信するダウンロード配信手段とを有し、端末は、端末の表示部に第１表示枠と第２表示枠を並べて表示させ、第１表示枠に前記ストリーミング再生動画データを表示させ、ダウンロード終了後再生動画データをストリーミング再生動画データの表示に連動して第２表示枠に表示させる再生手段とを有することを特徴とする。
【００１１】
請求項２に記載の発明は、ネットワークを介して互いに接続された情報提供サーバと端末とを有し、情報提供サーバに予め格納されている情報を端末からのリクエストに応じてリクエスト元の端末に配信する情報提供システムにおいて、情報提供サーバは、比較的大きなデータサイズを有する動画データを格納した第１データベースと、比較的小さなデータサイズを有する動画データを格納した第２データベースと、比較的小さなデータサイズを有する静止画データを格納した第３データベースと、第１データベースから抽出した動画データをストリーミング再生動画データとしてリクエスト元の端末にストリーミング配信するストリーミング配信手段と、第２データベースから抽出した動画データをダウンロード終了後再生動画データとし、第３データベースから抽出した静止画データをダウンロード終了後再生静止画データとしてリクエスト元の端末にダウンロード配信するダウンロード配信手段とを有し、端末は、端末の表示部に第１表示枠と第２表示枠を並べて表示させ、第１表示枠にストリーミング再生動画データを表示させ、ストリーミング再生動画データに連動して第２表示枠にダウンロード終了後再生動画データとダウンロード終了後再生静止画データのいずれか一方を適宜表示させる再生手段とを有することを特徴とする。
【００１２】
請求項３に記載の発明は、請求項１又は２に記載の情報提供システムにおいて、第１データベースには、予め設定された質問に回答する回答者を撮影した動画データとその音声データが格納され、第２データベースには、質問を行う質問者を撮影した動画データとその音声データが格納され、再生手段は、回答者を撮影した動画データとその音声データを第１表示枠に再生しながら、第２表示枠に所定のタイミングで質問者を撮影した動画データとその音声データを再生する処理を行うことを特徴とする。
【００１３】
請求項４に記載の発明は、請求項１又は２に記載の情報提供システムにおいて、第１データベースには、予め設定された質問に回答する回答者を撮影した動画データとその音声データが格納され、第２データベースには、質問を行う質問者を撮影した動画データとその音声データが格納され、第３データベースには、回答者が回答に使用する図表を構成する静止画データが格納され、再生手段は、回答者を撮影した動画データとその音声データを第１表示枠に再生する処理を行うと共に、第２表示枠に所定のタイミングで質問者を撮影した動画データとその音声データを再生する処理と図表を構成する静止画データを表示する処理のいずれか一方を行うことを特徴とする。
【発明の効果】
【００１４】
請求項１に記載の発明によれば、端末の表示部に第１表示枠と第２表示枠を並べて表示させ、これら第１表示枠と第２表示枠のうち、第１表示枠にストリーミング再生動画データを表示させ、ダウンロード終了後再生動画データをストリーミング再生動画データの表示に連動して第２表示枠に表示させることができる。
【００１５】
したがって、単一の表示枠にストリーミング再生動画を表示させた場合よりもストリーミング再生動画データのデータサイズを小さくすることができる。また、ダウンロード終了後再生動画データは、ストリーミング再生動画データと比較してデータサイズも小さく、再生に必要とされる計算量も少ないので、迅速にダウンロードすることができ、迅速に表示することができる。
【００１６】
したがって、ダウンロード終了後再生動画データをストリーミング再生動画データに連動させて表示部に表示することができ、また、ダウンロード終了後再生動画データの表示も大きくすることができる。これにより、端末が情報提供サーバから配信を受けるデータ全体のデータサイズを小さくすることができ、ネットワークの負荷を抑制し、快適な通信環境を維持することができる。
【００１７】
請求項２に記載の発明によれば、端末の表示部に第１表示枠と第２表示枠を並べて表示させ、これら第１表示枠と第２表示枠のうち、第１表示枠にストリーミング再生動画データを表示させ、ダウンロード終了後再生動画データとダウンロード終了後再生静止画データのいずれか一方をストリーミング再生動画データの表示に連動して第２表示枠に適宜表示させることができる。
【００１８】
したがって、単一の表示枠にストリーミング再生動画を表示させた場合よりもストリーミング再生動画データのデータサイズを小さくすることができる。また、ダウンロード終了後再生動画データとダウンロード終了後再生静止画データは、ストリーミング再生動画データと比較してデータサイズも小さく、再生に必要とされる計算量も少ないので、迅速にダウンロードして表示することができる。
【００１９】
したがって、ダウンロード終了後再生動画データとダウンロード終了後再生静止画データのいずれか一方をストリーミング再生動画データに連動させて表示部に適宜表示することができる。これにより、端末が情報提供サーバから配信を受けるデータ全体のデータサイズを小さくすることができ、ネットワークの負荷を抑制し、快適な通信環境を維持することができる。
【００２０】
また、表示部に第１表示枠と第２表示枠を表示させ、第２表示枠にダウンロード終了後再生動画データとダウンロード終了後再生静止画データの少なくとも一方を表示させることによって、例えば３つの表示枠を設けてそれぞれにストリーミング再生動画データ、ダウンロード終了後再生動画データ、ダウンロード終了後再生静止画データを表示させるよりも、表示スペースを節約することができ、第２表示枠に表示されるダウンロード終了後再生動画データとダウンロード終了後再生静止画データの表示を大きくすることができる。
【００２１】
請求項３に記載の発明によれば、情報提供サーバの第１データベースには、予め設定された質問に回答する回答者を撮影した動画データとその音声データが格納され、第２データベースには、質問を行う質問者を撮影した動画データとその音声データが格納されており、端末の再生手段は、回答者を撮影した動画データとその音声データを第１表示枠に再生しながら、第２表示枠に所定のタイミングで質問者を撮影した動画データとその音声データを再生する。
【００２２】
通常、質問者の質問が短く、回答者の回答が長いので、質問者を撮影した動画データをダウンロード終了後再生動画データに割り当て、回答者を撮影した動画データをストリーミング再生動画データに割り当てる。
【００２３】
したがって、端末の表示部には、質問者と回答者が並んで表示され、質問者が回答者に質問し、その質問に対して回答者が回答するバーチャルインタビューを成立させることができる。これにより、質問者と回答者が登場するインタビュー形式のコンテンツをより少ないデータサイズのデータにより提供することができる。
【００２４】
請求項４に記載の発明によれば、情報提供サーバの第１データベースには、予め設定された質問に回答する回答者を撮影した動画データとその音声データが格納され、第２データベースには、質問を行う質問者を撮影した動画データとその音声データが格納され、第３データベースには、回答者が回答に使用する図表を構成する静止画データが格納されており、端末の再生手段は、回答者を撮影した動画データとその音声データを第１表示枠に再生しながら、質問者を撮影した動画データとその音声データと図表を構成する静止画データのいずれか一方を、第２表示枠に所定のタイミングで適宜表示する。
【００２５】
通常、質問者の質問は短く、回答者の回答は長いので、質問者を撮影した動画データをダウンロード終了後再生動画データに割り当て、回答者を撮影した動画データをストリーミング再生動画データに割り当てる。また、回答者が説明に使用する図表等の静止画データのデータサイズは小さいので、ダウンロード終了後再生動画データに割り当てる。
【００２６】
したがって、端末の表示部には、質問者と回答者が並んで表示され、質問者が回答者に質問し、その質問に対して回答者が回答するバーチャルインタビューを成立させることができる。これにより、質問者と回答者が登場するインタビュー形式のコンテンツをより少ないデータサイズのデータにより提供することができる。そして、所定のタイミングで第２表示枠に図表を構成する静止画データを表示させることで、回答者の説明を補強し、よりわかりやすい説明の回答を提供することができる。
【発明を実施するための最良の形態】
【００２７】
次に、本発明の実施の形態について図に基づいて説明する。
【００２８】
図１は、本実施の形態を示す全体構成図であり、図２及び図３は、インターネット端末２０に表示される画面を説明する図である。
【００２９】
情報提供システム１は、情報提供サーバ１０とインターネット端末２０を主たる構成要件としており、インターネット（ネットワーク）２を利用して互いに双方向通信可能に接続されている。
【００３０】
情報提供サーバ１０は、インターネット端末２０からのリクエストに応じて所定のデータをリクエスト元のインターネット端末２０に配信する、いわゆるインターネットサーバである。情報提供サーバ１０には、例えば、Ａ社のＩＲ活動専用のサイトをインターネット端末２０に表示するためのホームページデータが格納されている。このホームページデータは、例えばＨＴＭＬやＸＭＬなどのマークアップ言語を用いて記述されている。
【００３１】
インターネット端末２０は、演算手段、制御手段、記憶手段、キーボードやマウス等の入力手段、表示部２１やスピーカ等の出力手段、インターネット２に接続してインターネットサーバ１０にアクセスできる通信手段等のハードウエア資源を備えている。そして、情報提供サーバ１０から配信されるホームページデータを表示部２１に表示させるブラウザーソフトや、動画データとその音声データ及び静止画データからなるメディアデータを再生するメディアデータ再生ソフト等のコンピュータソフトウエアが実行可能な形でインストールされている。
【００３２】
インターネット端末２０の代表例としては、公衆電話回線等を介してインターネット２に接続されるＰＣ（パーソナルコンピュータ）や携帯電話（ブラウザフォン）があげられる。このインターネット端末２０の表示部２１に表示されたブラウザ画面に、情報提供サーバ１０のＵＲＬを入力することによって、情報提供サーバ１０にアクセスし、Ａ社のＩＲ活動専用のサイトを表示できるように構成されている。
【００３３】
情報提供サーバ１０は、その内部に構成されるＩＲ活動情報記憶手段として、データサイズが比較的大きい動画データとその音声データを格納した第１データベース１１と、例えばフラッシュ動画等のようにデータサイズが比較的小さい動画データとその音声データを格納した第２データベース１２と、静止画のデータを格納した第３データベース１３を有している。
【００３４】
第１データベース１１には、予め用意された質問に対して回答するＡ社の取締役（回答者）を正面から撮影したストリーミング再生動画データ２４とその音声データを各回答毎に分けてそれぞれ読み出し可能な形で格納されている。
【００３５】
また、第２データベース１２には、予め用意された質問を問いかけるインタビュアー（質問者）を正面から撮影したダウンロード終了後再生動画データ２５とその音声データが各質問毎に分けてそれぞれ読み出し可能でかつ各回答に関連付けされた形で格納されている。
【００３６】
そして、第３データベース１３には、Ａ社の取締役が各回答に使用する図表などのダウンロード終了後再生静止画データ２６が各回答毎に分けてそれぞれ読み出し可能でかつ各回答に関連付けされた形で格納されている。
【００３７】
尚、上記動画データ２４、２５とその音声データ及び静止画データ２６は、公知のデジタル圧縮技術により圧縮された形で各データベースに格納されている。
【００３８】
また、情報提供サーバ１０は、インターネット端末２０からリクエストを受け取り、そのリクエストに応じたＩＲ活動情報のメディアデータをリクエスト元のインターネット端末２０に配信する送受信手段１４と、送受信手段１４からの指示に応じて、予め登録されたプログラムを実行することにより、第１〜第３データベース１１、１２、１３から対応する動画データ２４、２５や音声データ、静止画データ２６を抽出し、これらのデータを組み合わせてＩＲ活動情報のメディアデータを作成し、送受信手段１４に供給するデータ処理手段１５を有している。
【００３９】
送受信手段１４は、メディアデータのうち、第１データベース１１に格納されていたストリーミング再生動画データ２４とその音声データについては、パケット毎にインターネット端末で受信しながら再生させるストリーミング配信を行うように構成されている。そして、メディアデータのうち、第２データベース１２及び第３データベース１３に格納されているダウンロード終了後再生動画データ２５とその音声データ及びダウンロード終了後再生静止画データ２６については、予め１個或いは複数個のファイルとしてインターネット端末２０にダウンロードさせ、ダウンロードが終了した後に所定のタイミングで再生させるダウンロード配信を行うように構成されている。
【００４０】
尚、本実施の形態では、上記第１〜第３データベース１１、１２、１３、送受信手段１４、データ処理手段１５を１個の情報提供サーバ１０内に構成し、データバス１６によって互いにデータ通信可能に接続した場合を例に説明しているが、全ての構成要素を物理的に１個のサーバ内に設ける必要はなく、例えばネットワークに接続した複数のサーバによって分担させて構成してもよい。
【００４１】
インターネット端末２０は、送受信手段１４からメディアデータの配信を受けると、そのメディアデータをメディアデータ再生ソフトにより表示部２１に表示する処理を実行する。メディアデータ再生ソフトは、インターネット端末２０の表示部２１に第１表示枠２２と第２表示枠２３を並べて表示させる処理を行う。
【００４２】
そして、第１データベース１１から抽出されストリーミング配信されたストリーミング再生動画データ２４を第１表示枠２２に表示させると共にその音声データを再生させる処理を行う。また、第２データベース１２及び第３データベース１３から抽出されてダウンロード配信されたダウンロード終了後再生動画データ２５及びダウンロード終了後再生静止画データ２６を所定のタイミングで第２表示枠２３に表示させ、ダウンロード終了後再生動画データ２５に対応した音声データを再生させる処理を行う。
【００４３】
本実施の形態では、図２及び図３に示すように、メディアデータ再生ソフトにより、インターネット端末２０の表示部２１の左側に第１表示枠２２が表示され、表示部２１の右側に第２表示枠２３が表示され、第１表示枠２２と第２表示枠２３がほぼ同一の大きさに表示される。
【００４４】
次に、上記構成を有する情報提供システム１を用いた情報提供方法について以下に説明する。
【００４５】
まず、情報提供サーバ１０は、株主や投資家などの操作によるインターネット端末２０からのアクセスに対して、ＩＲ活動専用のサイトのホームページデータをリクエスト元のインターネット端末２０に配信する。
【００４６】
インターネット端末２０では、情報提供サーバ１０からの配信を受けて、ブラウザソフトによりＩＲ活動専用のサイトを表示部２１に表示する（図示せず）。表示部２１に表示されたＩＲ活動専用のサイトには、予め複数の質問事項が列挙表示されており、任意の質問事項を選択できるようになっている。
【００４７】
インターネット端末２０で任意の質問事項が選択されると、そのリクエストがインターネット端末２０から情報提供サーバ１０に送信され、情報提供サーバ１０の送受信手段１４によって受信される。
【００４８】
情報提供サーバ１０の送受信手段１４は、インターネット端末２０からのリクエストを受信すると、そのリクエストに応じたメディアデータの作成をデータ処理手段１５に指示する。
【００４９】
データ処理手段１５は、送受信手段１４からの指示を受けると、予め登録されたプログラムを実行し、インターネット端末２０で選択された質問事項に対応して予め格納されている動画データ２４、２５とその音声データ及び静止画データ２６を第１データベース１１、第２データベース１２、第３データベース１３からそれぞれ抽出する。これにより、第１データベース１１からは、インターネット端末２０で選択された質問事項に対して回答する取締役を撮影したストリーミング再生動画データ２４とその音声データが抽出され、第２データベース１２からは、インターネット端末２０で選択された質問事項を問いかけるインタビュアーを撮影したダウンロード終了後再生動画データ２５とその音声データが抽出される。また、第３データベースから１３は、取締役がその質問に回答する際に使用する図表などのダウンロード終了後再生静止画データ２６が抽出される。
【００５０】
データ処理手段１５は、各データベース１２、１３、１４から対応する動画データ２４、２５とその音声データ及び静止画データ２６を各々抽出すると、各データがインターネット端末２０の表示部２１にインタビュー形式で表示されるように組み立てて送受信手段１４に受け渡す。
【００５１】
送受信手段１４は、データ処理手段１５から各データを受け取ると、パケットに変換し、インターネット２を介してリクエスト元のインターネット端末２０に配信する。
【００５２】
ここで、第１データベース１１から抽出したストリーミング再生動画データ２４とその音声データは、ストリーミング配信され、第２データベース１２から抽出したダウンロード終了後再生動画データ２５とその音声データ、及び第３データベース１３から抽出したダウンロード終了後再生静止画データ２６は、１個又は複数のデータファイルとしてダウンロード配信される。
【００５３】
一方、インターネット端末２０では、上述のようにサイト上に表示された任意の質問をクリックすることにより、メディアデータ再生ソフトが起動し、情報提供サーバ１０からの配信を待ち受ける状態となっている。
【００５４】
そして、情報提供サーバ１０によるストリーミング配信により、第１データベース１１から抽出したストリーミング再生動画データ２５とその音声データのパケットのバッファへの受け取りをインターネット端末２０が開始すると、各パケットに付けられた同期再生ヘッダをチェックし、その復号タイミングにしたがってバッファからデータを取り出して復号する。そして、圧縮されているデータを伸長し、再生処理を開始する。
【００５５】
ストリーミング再生動画データ２４は第１表示枠２２に表示されるが、この第１表示枠２２は表示部２１の右半分の大きさに設定されているので、表示部２１全体に表示する場合よりも、そのデータサイズを小さくすることができる。したがって、データ受信に要する時間を短くすることができ、インターネット２への負担を軽減することができる。
【００５６】
また、インターネット端末２０は、第２データベース１２から抽出したダウンロード終了後再生動画データ２５とその音声データ及び第３データベースから抽出したダウンロード終了後再生静止画データ２６のダウンロード配信を受け、ダウンロードが終了した後に伸長し、所定のタイミングで再生する処理を行う。この第２データベース１２及び第３データベース１３に格納されているデータ２５、２６は、データサイズが比較的小さいので、第１データベース１１のストリーミング再生動画データ２４と比較して短時間でダウンロードすることができ、再生に伴う計算量も少ないことからインターネット端末２０で迅速に再生することができる。
【００５７】
したがって、第１表示枠２２に表示されるストリーミング再生動画データ２４にリンクして所定タイミングで第２表示枠２３にダウンロード終了後再生動画データ２５を表示させてその音声データを再生したり、また、ダウンロード終了後再生動画データ２５の代わりにダウンロード終了後再生静止画データ２６を表示させることができる。
【００５８】
第１表示枠２２と第２表示枠２３とのリンクは、種々の方法が考えられるが、本実施の形態では、データ処理手段１５によるデータ処理により、第１表示枠２２に表示されるストリーミング再生動画データ２４にトリガー符号を埋め込み、そのトリガー符号に基づいて第２表示枠２３にダウンロード終了後再生動画データ２５や静止画データ２６を表示させ、また、音声データを再生する方法が採用されている。
【００５９】
上記メディアデータ再生ソフトによる情報処理により、インターネット端末２０の表示部２１には、第１表示枠２２にＡ社の取締役が表示され、第２表示枠２３にインタビュアーが表示される。そして、インタビュアーが質問する動画が第２表示枠２３に表示されてその音声データが再生される。これにより、インターネット端末２０の表示部２１上では、インタビュアーがＡ社の取締役に質問をしているように見せることができ、いわゆるバーチャルインタビューを成立させることができる。
【００６０】
次いで、第１表示枠２２に取締役が回答する動画が表示されてその音声データが再生される。したがって、Ａ社の取締役がインタビュアーの質問に答えているように見せることができる。そして、Ａ社の取締役による回答の進行に応じて、第２表示枠２３には対応する図表が質問者に代わって表示される。したがって、リクエスト元のインターネット端末２０では、図表を参照することができ、Ａ社の取締役の説明を補強し、よりわかりやすく説明することができる。
【００６１】
そして、所定のタイミングで第２表示枠２３にインタビュアーが質問するダウンロード終了後再生動画データ２５とその音声データが再生される。これに対し、第１表示枠２２にＡ社の取締役が回答するストリーミング再生動画データ２４が表示されてその音声データが再生される。したがって、Ａ社の取締役とインタビュアーが同時に出演し、インタビュー形式によりＩＲ活動に関する説明を行っているように見せることができる。
【００６２】
この場合、実際には、Ａ社の取締役の撮影と、インタビュアーの撮影は別々に行われており、従来のように両者のスケジュールに影響を受けることなく、任意の時間に撮影を行うことができる。また、撮影用のカメラや音声用のマイクも一人分を用意すればよく、小規模の設備で実施することができる。また、ＩＲ活動情報の内容をわかりやすく伝達できるようにインタビュー形式にすることができ、コンテンツを簡単に作成することができる。
【００６３】
上記構成を有する情報提供システム１によれば、インターネット端末２０の表示部２１に第１表示枠２２と第２表示枠２３を並べて表示させ、これら第１表示枠２２と第２表示枠２３のうち、第１表示枠２２にストリーミング再生動画データ２４を表示させ、ダウンロード終了後再生動画データ２５をストリーミング再生動画データ２４の表示に連動して第２表示枠２３に表示させることができる。
【００６４】
したがって、従来のように単一の表示枠にストリーミング再生動画２４を表示させた場合よりもストリーミング再生動画データ２４のデータサイズを小さくすることができる。
【００６５】
また、ダウンロード終了後再生動画データ２５とダウンロード終了後再生静止画データ２６は、ストリーミング再生動画データ２４と比較してデータサイズも小さく、再生に必要とされる計算量も少ないので、迅速にダウンロードすることができ、迅速に表示することができる。したがって、ダウンロード終了後再生動画データ２５とダウンロード終了後再生静止画データ２６をストリーミング再生動画データ２４に連動させて表示部２１に表示することができ、その表示の大きさも大きくすることができる。
【００６６】
これにより、インターネット端末２０が情報提供サーバ１０から配信を受けるデータ全体のデータサイズを小さくすることができ、ネットワークの負荷を抑制し、快適な通信環境を維持することができる。したがって、インタビュー形式による明確なＩＲ活動情報を比較的小さなデータサイズで低コストに供給することができる。
【００６７】
また、通常は質問者の質問が短く、回答者の回答が長くかつ回答者は回答に図表を使用するので、ダウンロード終了後再生動画データ２５を質問者による質問の動画データに割り当て、ストリーミング再生動画データ２４を回答者による回答の動画データに割り当て、ダウンロード終了後再生静止画データ２６を回答者が回答に使用する図表の静止画データに割り当てることでバーチャルインタビューを成立させることができる。そして、質問者による質問の動画データを回答者が使用する図表の静止画データに切り換えることで、表示スペースの有効活用を図ることができる。
【００６８】
また、従来の単一の表示枠にストリーミング再生動画を表示させる方式と比較して、コンテンツの製作を容易なものとし、低コストとすることができる。例えば、従来の場合、取締役とインタビュアーの二名が同時に動画の撮影現場にいる必要があるが、本システムによれば、別々の場所で撮影することができる。したがって、カメラや音声マイク等の機材も少なくてよく、準備に必要な時間も短くできる。また、図表を用いて説明する場合、従来は取締役やインタビュアーが手に持って説明していたため、端末の表示画面上に映る図表は小さく、良好に視認することができなかった。これに対して、本システムでは、第１表示枠２２に表示される取締役の動画に連動して、第２表示枠２３に図表を表示することができるので、より明確に示すことができる。
【００６９】
尚、本発明は、上述の実施の形態に限定されるものではなく、本発明の趣旨を逸脱しない範囲で種々の変更が可能である。例えば、上述の実施の形態では、第１表示枠２２と第２表示枠２３をほぼ同一の大きさとした場合を例に説明したが、データ通信速度に応じて大きさの比率を変更してもよい。
【００７０】
例えば、回線速度が貧弱であり高速通信が確保できないインターネット環境においては、第１表示枠２２を小さくし、第２表示枠２３を大きくすることによって、ストリーミング配信されるストリーミング再生動画データ２４のデータサイズを小さくし、ダウンロード配信されるダウンロード終了後再生動画データ２５とダウンロード終了後再生静止画データ２６のデータサイズを大きくしてもよい。これによれば、データ全体のデータサイズを更に小さくすることができ、貧弱なインターネット環境においても動画をストレスなく表示することができる。
【図面の簡単な説明】
【００７１】
【図１】本実施の形態を示す全体構成図である。
【図２】インターネット端末に表示される画面を説明する図である。
【図３】インターネット端末に表示される画面を説明する図である。
【符号の説明】
【００７２】
１  情報提供システム
２  インターネット
１０  情報提供サーバ
１１  第１データベース
１２  第２データベース
１３  第３データベース
１４  データ処理手段
１５  送受信手段
２０  インターネット端末
２１  表示部
２２  第１表示枠
２３  第２表示枠
２４  ストリーミング再生動画データ
２５  ダウンロード終了後再生動画データ
２６  静止画データ
【図１】
2006050392.tif 000003
【図２】
2006050392.tif 000004
【図３】
2006050392.tif 000005